(57)【要約】【課題】浴室および隣室に設置された２台の空調機を連動させることによって浴室または隣室の空調効率を向上させること。【解決手段】実施形態に係る空調システムは、浴室空調機と、隣室空調機と、浴室空調機は、浴室を空調する。隣室空調機は、浴室に連通する隣室を空調する。制御部は、浴室空調機および隣室空調機を制御する。浴室空調機および隣室空調機の少なくとも一方は、室内に風を送る送風運転モードまたは室内に加熱した風を送る暖房運転モードを有する。浴室空調機および隣室空調機の少なくとも他方は、室内の空気を室外へ排気する換気運転モードを有する。制御部は、浴室空調機および隣室空調機のうち一方の運転モードに基づいて、浴室空調機および隣室空調機のうち他方の換気運転モードを制御する。【選択図】図１Ｂ
2019032139.tif 000002
【特許請求の範囲】
【請求項１】
浴室を空調する浴室空調機と、
前記浴室に連通する隣室を空調する隣室空調機と、
前記浴室空調機および前記隣室空調機を制御する制御部と
を備え、
前記浴室空調機および前記隣室空調機の少なくとも一方は、
室内に風を送る送風運転モードまたは室内に加熱した風を送る暖房運転モードを有し、
前記浴室空調機および前記隣室空調機の少なくとも他方は、
室内の空気を室外へ排気する換気運転モードを有し、
前記制御部は、
前記浴室空調機および前記隣室空調機のうち一方の運転モードに基づいて、前記浴室空調機および前記隣室空調機のうち他方の前記換気運転モードを制御すること
を特徴とする空調システム。
【請求項２】
前記制御部は、
前記浴室空調機および前記隣室空調機のうち一方の前記暖房運転モードが開始された場合に、前記浴室空調機および前記隣室空調機のうち他方を制御して、前記他方における前記換気運転モードの排気量を、前記暖房運転モードが開始される前における排気量よりも小さくすること
を特徴とする請求項１に記載の空調システム。
【請求項３】
前記制御部は、
前記浴室空調機および前記隣室空調機のうち一方の前記暖房運転モードが開始された場合に、前記浴室空調機および前記隣室空調機のうち他方を制御して、前記他方における前記換気運転モードの排気量を、前記暖房運転モードが開始される前における排気量と該排気量よりも小さい排気量とで交互に切り替えること
を特徴とする請求項１に記載の空調システム。
【請求項４】
前記制御部は、
前記浴室空調機および前記隣室空調機のうち一方の前記暖房運転モードが開始された後、予め設定された時間が経過した場合に、前記浴室空調機および前記隣室空調機のうち他方を制御して、前記他方における前記換気運転モードの排気量を、前記暖房運転モードが開始される前における排気量に戻すこと
を特徴とする請求項２または３に記載の空調システム。
【請求項５】
前記浴室または前記隣室の温度を検出する温度検出部
をさらに備え、
前記制御部は、
前記浴室空調機および前記隣室空調機のうち一方の前記暖房運転モードが開始された後、前記温度検出部により検出される温度が前記暖房運転モードにおける目標温度に達した場合に、前記浴室空調機および前記隣室空調機のうち他方を制御して、前記他方における前記換気運転モードの排気量を、前記暖房運転モードが開始される前における排気量に戻すこと
を特徴とする請求項２または３に記載の空調システム。
【請求項６】
前記制御部は、
前記浴室空調機および前記隣室空調機のうち一方の前記送風運転モードが開始された場合に、前記浴室空調機および前記隣室空調機のうち他方を制御して、前記他方における前記換気運転モードの排気量を、前記送風運転モードが開始される前における排気量よりも大きくすること
を特徴とする請求項１に記載の空調システム。
【請求項７】
前記制御部は、
前記浴室空調機および前記隣室空調機のうち一方の前記送風運転モードが開始された場合に、前記浴室空調機および前記隣室空調機のうち他方を制御して、前記他方における前記換気運転モードの排気量を、前記送風運転モードが開始される前における排気量と該排気量よりも大きい排気量とで交互に切り替えること
を特徴とする請求項６に記載の空調システム。
【請求項８】
前記制御部は、
前記浴室空調機および前記隣室空調機のうち一方の前記送風運転モードが開始された後、予め設定された時間が経過した場合に、前記浴室空調機および前記隣室空調機のうち他方を制御して、前記他方における前記換気運転モードの排気量を、前記送風運転モードが開始される前における排気量に戻すこと
を特徴とする請求項６または７に記載の空調システム。
【発明の詳細な説明】
【技術分野】
【０００１】
開示の実施形態は、空調システムに関する。
【背景技術】
【０００２】
従来、浴室の暖房、送風、換気といった空調（空気調節）を行う浴室空調機が知られている（特許文献１参照）。
【０００３】
また、近年では、浴室に隣接する洗面所や脱衣所にも暖房や送風等を行う空調機を設置することが提案されている。
【先行技術文献】
【特許文献】
【０００４】
【特許文献１】特許第３１５２２３７号公報
【発明の概要】
【発明が解決しようとする課題】
【０００５】
しかしながら、上述した従来技術では、浴室および隣室に設置された２台の空調機を連動させることによって浴室または隣室の空調効率を向上させることについては考慮されていない。
【０００６】
実施形態の一態様は、浴室および隣室に設置された２台の空調機を連動させることによって浴室または隣室の空調効率を向上させることができる空調システムを提供することを目的とする。
【課題を解決するための手段】
【０００７】
実施形態の一態様に係る空調システムは、浴室を空調する浴室空調機と、前記浴室に連通する隣室を空調する隣室空調機と、前記浴室空調機および前記隣室空調機を制御する制御部とを備え、前記浴室空調機および前記隣室空調機の少なくとも一方は、室内に風を送る送風運転モードまたは室内に加熱した風を送る暖房運転モードを有し、前記浴室空調機および前記隣室空調機の少なくとも他方は、室内の空気を室外へ排気する換気運転モードを有し、前記制御部は、前記浴室空調機および前記隣室空調機のうち一方の運転モードに基づいて、前記浴室空調機および前記隣室空調機のうち他方の前記換気運転モードを制御することを特徴とする。
【０００８】
浴室および隣室の両方に空調機が設置される場合、一方の室内に設置された空調機が発生させる気流によって他方の室内における空調効率が低下してしまうおそれがある。たとえば、浴室空調機を用いて浴室の換気を行いつつ、隣室空調機を用いて隣室の暖房を行った場合、隣室に供給された温かい空気が浴室へ流れることで隣室の暖房効率が低下するおそれがある。これに対し、実施形態の一態様に係る空調システムでは、隣室空調機が暖房運転モードである場合に、浴室空調機を制御して、浴室空調機の換気運転モードにおける排気量を抑えるようにすることで、隣室の暖房効率の低下を抑制することができる。また、たとえば、隣室空調機が送風運転モードである場合には、浴室空調機を制御し、浴室空調機の換気運転モードにおける排気量を増大させてもよい。これにより、隣室から浴室への空気の流れが形成されることで、浴室から隣室へ湿気が流入して隣室の湿度が高まることを抑制することができる。これにより、たとえば夏場における隣室の蒸し暑さをより小さい風量でやわらげることができる。このように、実施形態の一態様に係る空調システムによれば、浴室および隣室に設置された２台の空調機を連動させることによって浴室または隣室の空調効率を向上させることができる。
【０００９】
また、前記制御部は、前記浴室空調機および前記隣室空調機のうち一方の前記暖房運転モードが開始された場合に、前記浴室空調機および前記隣室空調機のうち他方を制御して、前記他方における前記換気運転モードの排気量を、前記暖房運転モードが開始される前における排気量よりも小さくすることを特徴とする。
【００１０】
これにより、浴室および隣室のうち一方の室内に供給された温かい空気が他方の室内へ流れることを抑制することができる。したがって、実施形態の一態様に係る空調システムによれば、浴室および隣室のうち一方の室内における暖房効率の低下を抑制することができる。なお、「前記暖房運転モードが開始される前における排気量よりも小さくすること」には、排気量をゼロにすること、すなわち、換気運転モードを停止することも含まれ得る。
【００１１】
また、前記制御部は、前記浴室空調機および前記隣室空調機のうち一方の前記暖房運転モードが開始された場合に、前記浴室空調機および前記隣室空調機のうち他方を制御して、前記他方における前記換気運転モードの排気量を、前記暖房運転モードが開始される前における排気量と該排気量よりも小さい排気量とで交互に切り替えることを特徴とする。
【００１２】
これにより、一方の室内における暖房効率の低下を抑制しつつ、他方の室内における換気効率の低下を抑制することができる。また、換気運転モードにおける排気量として、たとえば通常換気（排気量大）と２４時間換気（排気量小）とが存在する場合に、これらを交互に切り替えることで、通常換気よりも小さい排気量を実現することができる。また、通常換気の排気量と２４時間換気の排気量との時間比率を変更することで、通常換気の排気量と２４時間換気の排気量との間で排気量を任意に調整することも可能である。したがって、たとえばＤＣ（Direct  Current）モータのように細かい速度制御が可能なモータを用いずとも、換気運転モードの排気量を調整することが可能である。
【００１３】
また、前記制御部は、前記浴室空調機および前記隣室空調機のうち一方の前記暖房運転モードが開始された後、予め設定された時間が経過した場合に、前記浴室空調機および前記隣室空調機のうち他方を制御して、前記他方における前記換気運転モードの排気量を、前記暖房運転モードが開始される前における排気量に戻すことを特徴とする。
【００１４】
たとえば、隣室空調機が暖房運転モード中である場合に、浴室空調機の換気運転モードの排気量が抑制されることで、入浴後における浴室の除湿に時間がかかったり浴室が十分に除湿されなかったりするおそれがある。これに対し、実施形態に係る空調システムでは、隣室空調機の暖房運転モードが開始された後、予め設定された時間が経過した場合に、浴室空調機における換気運転モードの排気量を元の排気量に戻すことで、浴室の除湿に時間がかかったり浴室が十分に除湿されなかったりすることを防止することができる。
【００１５】
また、前記浴室または前記隣室の温度を検出する温度検出部をさらに備え、前記制御部は、前記浴室空調機および前記隣室空調機のうち一方の前記暖房運転モードが開始された後、前記温度検出部により検出される温度が前記暖房運転モードにおける目標温度に達した場合に、前記浴室空調機および前記隣室空調機のうち他方を制御して、前記他方における前記換気運転モードの排気量を、前記暖房運転モードが開始される前における排気量に戻すことを特徴とする。
【００１６】
たとえば、隣室空調機の暖房運転モードが開始された後、隣室内の温度が目標温度に達した場合に、浴室空調機における換気運転モードの排気量を元の排気量に戻すことで、浴室の除湿に時間がかかったり浴室が十分に除湿されなかったりすることを防止することができる。
【００１７】
また、前記制御部は、前記浴室空調機および前記隣室空調機のうち一方の前記送風運転モードが開始された場合に、前記浴室空調機および前記隣室空調機のうち他方を制御して、前記他方における前記換気運転モードの排気量を、前記送風運転モードが開始される前における排気量よりも大きくすることを特徴とする。
【００１８】
たとえば、隣室空調機を用いて隣室への送風を行っているときに、浴室の湿気が隣室へ流入すると、隣室の湿度が高まることで送風による快適性が損なわれるおそれがある。これに対し、実施形態に係る空調システムでは、隣室空調機が送風運転モードである場合に、浴室空調機を制御し、浴室空調機の換気運転モードにおける排気量を増大させる。これにより、隣室から浴室への空気の流れが形成されることで、浴室から隣室への湿気の流入が抑制され、隣室の湿度の上昇が抑制される。これにより、たとえば夏場における隣室の蒸し暑さをより小さい風量でやわらげることができる。すなわち、隣室における送風効率を向上させることができる。なお、「前記送風運転モードが開始される前における排気量よりも大きくすること」には、換気運転モードが停止した状態から換気運転モードを開始させることも含まれ得る。
【００１９】
また、前記制御部は、前記浴室空調機および前記隣室空調機のうち一方の前記送風運転モードが開始された場合に、前記浴室空調機および前記隣室空調機のうち他方を制御して、前記他方における前記換気運転モードの排気量を、前記送風運転モードが開始される前における排気量と該排気量よりも大きい排気量とで交互に切り替えることを特徴とする。
【００２０】
たとえば、隣室空調機が送風運転モード中である場合に、浴室空調機の換気運転モードの排気量が増大することで、浴室空調機の運転音が大きくなるおそれがある。これに対し、実施形態に係る空調システムでは、送風運転モードが開始される前における排気量とこの排気量よりも大きい排気量とで交互に切り替えるようにすることで、浴室空調機の運転音の増大を抑制することができる。また、たとえば、換気運転モードにおける排気量として、通常換気（排気量大）と２４時間換気（排気量小）とが存在する場合に、これらを交互に切り替えることで、２４時間換気よりも大きい排気量を実現することができる。また、通常換気の排気量と２４時間換気の排気量との時間比率を変更することで、通常換気の排気量と２４時間換気の排気量との間で排気量を任意に調整することも可能である。したがって、たとえばＤＣモータのように細かい速度制御が可能なモータを用いずとも、換気運転モードの排気量を調整することが可能である。
【００２１】
また、前記制御部は、前記浴室空調機および前記隣室空調機のうち一方の前記送風運転モードが開始された後、予め設定された時間が経過した場合に、前記浴室空調機および前記隣室空調機のうち他方を制御して、前記他方における前記換気運転モードの排気量を、前記送風運転モードが開始される前における排気量に戻すことを特徴とする。
【００２２】
たとえば、隣室空調機の送風運転モードが開始された後、予め設定された時間が経過した場合に、浴室空調機における換気運転モードの排気量を元の排気量に戻すことで、浴室空調機の運転音の増大を抑制することができる。
【発明の効果】
【００２３】
実施形態の一態様によれば、浴室および隣室に設置された２台の空調機を連動させることによって浴室または隣室の空調効率を向上させることができる。
【図面の簡単な説明】
【００２４】
【図１Ａ】図１Ａは、第１の実施形態に係る空調システムの概要説明図である。
【図１Ｂ】図１Ｂは、第１の実施形態に係る空調システムの概要説明図である。
【図２】図２は、空調システムの構成例を示すブロック図である。
【図３Ａ】図３Ａは、浴室空調機の構成例を示す図である。
【図３Ｂ】図３Ｂは、浴室空調機の構成例を示す図である。
【図４】図４は、隣室空調機の構成例を示す図である。
【図５Ａ】図５Ａは、連動空調制御の説明図である。
【図５Ｂ】図５Ｂは、連動空調制御の説明図である。
【図６Ａ】図６Ａは、隣室空調機の暖房運転モードの開始前後における換気風量の変化の一例を示す図である。
【図６Ｂ】図６Ｂは、隣室空調機の送風運転モードの開始前後における換気風量の変化の一例を示す図である。
【図７Ａ】図７Ａは、変形例に係る連動空調制御の説明図である。
【図７Ｂ】図７Ｂは、変形例に係る連動空調制御の説明図である。
【図８】図８は、連動空調制御の処理手順を示すフローチャートである。
【図９】図９は、第２の実施形態に係る空調システムの概要説明図である。
【発明を実施するための形態】
【００２５】
以下、添付図面を参照して、本願の開示する空調システムの実施形態を詳細に説明する。なお、以下に示す実施形態によりこの発明が限定されるものではない。
【００２６】
（第１の実施形態）
＜空調システムの概要＞
まず、第１の実施形態に係る空調システムの概要について図１Ａおよび図１Ｂを参照して説明する。図１Ａおよび図１Ｂは、第１の実施形態に係る空調システムの概要説明図である。
【００２７】
図１Ａおよび図１Ｂに示すように、第１の実施形態に係る空調システム１は、浴室２と隣室３とにそれぞれ設置された２台の空調機１０，２０を連動させることによって、浴室２または隣室３の空調効率を向上させるものである。隣室３は、たとえば洗面所、脱衣所あるいは洗面脱衣所等である。
【００２８】
具体的には、第１の実施形態に係る空調システム１は、浴室空調機１０と、隣室空調機２０と、制御部３０とを備える。
【００２９】
浴室空調機１０は、浴室２を空調する。隣室空調機２０は、浴室２に連通する洗面所または脱衣所等の隣室を空調する。制御部３０は、浴室空調機１０および隣室空調機２０を制御する。
【００３０】
空調システム１において、浴室空調機１０および隣室空調機２０の少なくとも一方は、室内に風を送る送風運転モードまたは室内に加熱した風を送る暖房運転モードを有する。また、浴室空調機１０および隣室空調機２０の少なくとも他方は、室内の空気を室外へ排気する換気運転モードを有する。
【００３１】
暖房運転モード、送風運転モードおよび換気運転モードは、何れも室内に空気の流れを生じさせるものであるが、浴室２と隣室３とは、たとえば浴室ドア４に設けられたガラリ等の通気部５を介して連通しているため、一方の室内に設置された空調機が発生させる気流によって他方の室内における空調効率が低下してしまうおそれがある。たとえば、浴室空調機１０を用いて浴室２の換気を行いつつ、隣室空調機２０を用いて隣室３の暖房を行った場合、隣室３に供給された温かい空気が浴室へ流れることで隣室３の暖房効率が低下するおそれがある。
【００３２】
そこで、図１Ｂに示すように、制御部３０は、隣室空調機２０の暖房運転モードが開始された場合に、浴室空調機１０を制御して、浴室空調機１０の換気運転モードにおける排気量を、暖房運転モードが開始される前における排気量よりも小さくする。これにより、隣室３に供給された温かい空気が浴室２へ流れることを抑制することができる。したがって、第１の実施形態に係る空調システム１によれば、隣室３における暖房効率の低下を抑制することができる。
【００３３】
また、隣室空調機２０を用いて隣室３への送風を行っているときに、浴室２の湿気が隣室３へ流入すると、隣室３の湿度が高まることで送風による快適性が損なわれるおそれがある。
【００３４】
そこで、制御部３０は、隣室空調機２０の送風運転モードが開始された場合には、浴室空調機１０を制御して、浴室空調機１０の換気運転モードにおける排気量を増大させる。これにより、隣室３から浴室２への空気の流れが形成されることで、浴室２から隣室３への湿気の流入が抑制され、隣室３の湿度の上昇が抑制される。これにより、たとえば夏場における隣室３の蒸し暑さをより小さい風量でやわらげることができる。
【００３５】
このように、第１の実施形態に係る空調システム１によれば、浴室空調機１０および隣室空調機２０のうち一方の運転モードに基づいて、浴室空調機１０および隣室空調機２０のうち他方の換気運転モードを制御する連動空調制御を行うことで、浴室２または隣室３の空調効率を向上させることが可能である。
【００３６】
＜空調システムの構成＞
次に、上述した空調システム１の構成について図２を参照して説明する。図２は、空調システム１の構成例を示すブロック図である。
【００３７】
図２に示すように、空調システム１は、浴室空調機１０と、隣室空調機２０と、制御部３０と、入力装置６０とを備える。
【００３８】
なお、ここでは、連動空調制御を行う制御部３０が、入力装置６０に設けられる場合の例について説明する。ただし、連動空調制御は、後述する浴室空調機１０の制御部１１が行ってもよいし、隣室空調機２０の制御部２１が行ってもよい。また、空調システム１は、連動空調制御を含めた空調システム１全体の制御を行う１つの制御部を備えることとしてもよい。
【００３９】
浴室空調機１０は、制御部１１と、駆動装置１２と、ダンパ１３と、循環用ファン１４と、換気用ファン１５と、熱源１６と、浴室温度検出部１７とを備える。また、駆動装置１２は、ダンパ駆動装置１２１と、循環用ファン駆動装置１２２と、換気用ファン駆動装置１２３と、熱源駆動装置１２４とを備え、これらは制御部１１によって制御される。
【００４０】
ここで、浴室空調機１０の構成について図３Ａおよび図３Ｂを参照して説明する。図３Ａおよび図３Ｂは、浴室空調機１０の構成例を示す図である。
【００４１】
図３Ａおよび図３Ｂに示すように、浴室空調機１０は、たとえば浴室２の天井２Ｃに埋め込まれる所謂ビルトインタイプの空調機である。かかる浴室空調機１０は、浴室２の内部に向けて開口する吸込口１０１および室内吹出口１０２と、浴室２の外部に向けて開口する屋外吹出口１０３とを備える。また、浴室空調機１０は、吸込口１０１、室内吹出口１０２および屋外吹出口１０３を連通する風路１０４を備える。風路１０４は、たとえばダクトである。
【００４２】
ダンパ１３は、風路１０４に配置され、吸込口１０１から風路１０４に吸い込まれた空気の流出先を室内吹出口１０２と屋外吹出口１０３との間で切り替える。なお、図３Ａには、ダンパ１３によって空気の流出先が室内吹出口１０２側に切り替えられた状態を示している。また、図３Ｂには、ダンパ１３によって空気の流出先が屋外吹出口１０３側に切り替えられた状態を示している。ダンパ１３は、ダンパ駆動装置１２１によって駆動される。ダンパ駆動装置１２１は、モータを含んで構成される。
【００４３】
循環用ファン１４は、ダンパ１３よりも上流側の風路１０４に配置され、吸込口１０１から室内吹出口１０２へ向かう空気の流れ（図３Ａ参照）を発生させる際に用いられる。循環用ファン１４は、循環用ファン駆動装置１２２によって駆動される。循環用ファン駆動装置１２２は、モータを含んで構成される。
【００４４】
換気用ファン１５は、ダンパ１３よりも下流側の風路１０４のうち屋外吹出口１０３へ向かう風路１０４に配置され、吸込口１０１から屋外吹出口１０３へ向かう空気の流れ（図３Ｂ参照）を発生させる際に用いられる。換気用ファン１５は、換気用ファン駆動装置１２３によって駆動される。換気用ファン駆動装置１２３は、モータを含んで構成される。
【００４５】
熱源１６は、ダンパ１３よりも下流側の風路１０４のうち室内吹出口１０２へ向かう風路１０４に配置され、風路１０４内を室内吹出口１０２へ向かって流れる空気を加熱する。熱源１６は、たとえばヒータであり、熱源駆動装置１２４によって駆動される。熱源駆動装置１２４は、熱源１６への通電を行うことによって熱源１６を駆動する。
【００４６】
浴室温度検出部１７は、浴室２の温度を検出する。浴室温度検出部１７は、浴室空調機１０の風路１０４内に配置される。循環流が通過する浴室空調機１０の風路１０４内に浴室温度検出部１７を配置することで、たとえば、浴室２の隅など空気の流れが少ない場所に浴室温度検出部１７を配置した場合と比較して、浴室２の温度変化に対する応答性を高めることができる。
【００４７】
また、浴室温度検出部１７は、熱源１６よりも上流側の風路１０４に配置される。これにより、熱源１６によって加熱される前の空気の温度を検出することとなるため、たとえば、熱源１６よりも下流側の風路１０４に浴室温度検出部１７を配置する場合と比較して、浴室２の温度をより正確に検出することができる。
【００４８】
上記のように構成された浴室空調機１０は、「暖房運転モード」と、「送風運転モード」と、「換気運転モード」とを有する。
【００４９】
暖房運転モードにおいて、浴室空調機１０の制御部１１は、ダンパ駆動装置１２１を制御することにより、ダンパ１３を駆動させて、空気の流出先を室内吹出口１０２に切り替える。なお、ダンパ１３が既に室内吹出口１０２側に切り替わっている場合には、この処理は不要である。
【００５０】
また、制御部１１は、循環用ファン駆動装置１２２を制御することにより、循環用ファン１４を駆動させて、吸込口１０１から室内吹出口１０２へ向かう空気の流れ（循環流）を風路１０４内に形成する。また、制御部１１は、熱源駆動装置１２４を制御することにより、熱源１６を駆動させて、吸込口１０１から室内吹出口１０２へ流れる空気を加熱する。これにより、加熱された空気が室内吹出口１０２から浴室２の内部に供給されて浴室２が暖房される。
【００５１】
また、送風運転モードにおいて、制御部１１は、熱源１６を駆動させることなく上記暖房運転モードと同様の制御を行う。これにより、熱源１６によって加熱されていない空気（たとえば浴室２と同等の温度の空気）が室内吹出口１０２から浴室２の内部に供給される。
【００５２】
また、換気運転モードにおいて、制御部１１は、ダンパ駆動装置１２１を制御することにより、ダンパ１３を駆動させて、空気の流出先を屋外吹出口１０３に切り替える。なお、ダンパ１３が既に屋外吹出口１０３側に切り替わっている場合には、この処理は不要である。
【００５３】
また、制御部１１は、換気用ファン駆動装置１２３を制御することにより、換気用ファン１５を駆動させて、吸込口１０１から屋外吹出口１０３へ向かう空気の流れを風路１０４内に形成する。これにより、浴室２内の空気が吸込口１０１から屋外吹出口１０３へ排出されて浴室２が換気される。
【００５４】
図２に戻り、隣室３に設置される機器の構成について説明する。隣室３には、隣室空調機２０と、入力装置６０とが設置される。
【００５５】
隣室空調機２０は、制御部２１と、駆動装置２２と、ファン２３と、熱源２４と、隣室温度検出部２５とを備える。また、駆動装置２２は、ファン駆動装置２２１と、熱源駆動装置２２２とを備え、これらは制御部２１によって制御される。
【００５６】
ここで、隣室空調機２０の構成について図４を参照して説明する。図４は、隣室空調機２０の構成例を示す図である。
【００５７】
図４に示すように、隣室空調機２０は、たとえば隣室３の天井３Ｃに埋め込まれる所謂ビルトインタイプの空調機である。なお、隣室空調機２０は、隣室３の壁面に設置される壁掛けタイプの空調機であってもよい。
【００５８】
隣室空調機２０は、隣室３の内部に向けて開口する吸込口２０１および吹出口２０２と、吸込口２０１および吹出口２０２を連通する風路２０４とを備える。風路２０４は、たとえばダクトである。
【００５９】
ファン２３は、風路２０４に配置され、吸込口２０１から吹出口２０２へ向かう空気の流れを発生させる。ファン２３は、ファン駆動装置２２１によって駆動される。ファン駆動装置２２１は、モータを含んで構成される。
【００６０】
熱源２４は、ファン２３よりも下流側の風路２０４に配置され、風路２０４内を流れる空気を加熱する。熱源２４は、たとえばヒータであり、熱源駆動装置２２２によって駆動される。熱源駆動装置２２２は、熱源２４への通電を行うことによって熱源２４を駆動する。
【００６１】
隣室温度検出部２５は、隣室３の温度を検出する。隣室温度検出部２５は、隣室空調機２０の風路２０４内に配置される。循環流が通過する隣室空調機２０の風路２０４内に隣室温度検出部２５を配置することで、たとえば、隣室３の隅など空気の流れが少ない場所に隣室温度検出部２５を配置した場合と比較して、隣室３の温度変化に対する応答性を高めることができる。
【００６２】
また、隣室温度検出部２５は、熱源２４よりも上流側の風路２０４に配置される。これにより、熱源２４によって加熱される前の空気の温度を検出することとなるため、たとえば、熱源２４よりも下流側の風路２０４に隣室温度検出部２５を配置する場合と比較して、隣室３の温度をより正確に検出することができる。
【００６３】
上記のように構成された隣室空調機２０は、「暖房運転モード」と、「送風運転モード」とを有する。
【００６４】
暖房運転モードにおいて、隣室空調機２０の制御部２１は、ファン駆動装置２２１を制御することによってファン２３を駆動させて、吸込口２０１から吹出口２０２へ向かう空気の流れ（循環流）を風路２０４内に形成する。また、制御部２１は、熱源駆動装置２２２を制御することにより、熱源２４を駆動させて、吸込口２０１から吹出口２０２へ流れる空気を加熱する。これにより、加熱された空気が吹出口２０２から隣室３の内部に供給されて隣室３が暖房される。
【００６５】
また、送風運転モードにおいて、制御部２１は、熱源２４を駆動させることなく上記暖房運転モードと同様の制御を行う。これにより、熱源２４によって加熱されていない空気（たとえば隣室３と同等の温度の空気）が吹出口２０２から隣室３の内部に供給される。
【００６６】
図２に戻り、入力装置６０について説明する。入力装置６０は、たとえば壁掛けタイプのリモコンであり、上述した制御部３０の他、入力部６１と、記憶部６２とを備える。入力部６１は、使用者による入力操作を受け付ける。
【００６７】
記憶部６２は、たとえばＲＡＭ（Random  Access  Memory）、フラッシュメモリ（Flash  Memory）等の半導体メモリ素子等によって実現される。記憶部６２には、浴室空調機１０および隣室空調機２０の運転状態等が記憶される。運転状態としては、運転中か停止中かの別、実行中の運転モードの種類、設定風量、設定温度などの情報を含む。
【００６８】
制御部３０は、ＣＰＵ（Central  Processing  Unit）やＭＰＵ（Micro  Processing  Unit）等によって、記憶部６２に記憶されているプログラムがＲＡＭを作業領域として実行されることにより実現される。また、制御部３０は、例えば、ＡＳＩＣ（Application  Specific  Integrated  Circuit）やＦＰＧＡ（Field  Programmable  Gate  Array）等の集積回路により実現される。
【００６９】
制御部３０は、入力部６１への入力結果に応じた信号を浴室空調機１０の制御部１１または隣室空調機２０の制御部２１へ出力する。たとえば、入力部６１には、隣室空調機２０の暖房運転モードを開始させるボタンが設けられており、かかるボタンが使用者によって押下された場合、制御部３０は、暖房運転モードの開始信号を隣室空調機２０の制御部２１に対して出力する。その他、制御部３０は、浴室空調機１０の制御部１１または隣室空調機２０の制御部２１に対し、設定風量や設定温度の変更を指示する信号を出力する。
【００７０】
かかる制御部３０は、浴室空調機１０と隣室空調機２０とを連動させる連動空調制御を行う。ここで、連動空調制御の内容について図５Ａおよび図５Ｂを参照して説明する。図５Ａおよび図５Ｂは、連動空調制御の説明図である。
【００７１】
なお、図５Ａおよび図５Ｂにおいて、「換気風量」は、換気運転モードにおいて、換気用ファン１５によって単位時間当たりに排気される空気量（すなわち排気量）を示し、「循環風量」は、暖房運転モードまたは送風運転モードにおいて、循環用ファン１４によって単位時間当たりに供給される空気量を示す。図５Ａおよび図５Ｂには、浴室空調機１０が換気運転モード中である場合の例を示している。
【００７２】
図５Ａに示すように、隣室空調機２０の暖房運転モードが開始された場合、制御部３０は、浴室空調機１０を制御して、浴室空調機１０の換気風量を、暖房運転モードが開始される前における換気風量よりも小さくする。
【００７３】
これにより、隣室空調機２０によって隣室３に供給された温かい空気が浴室２へ流れることを抑制することができる。したがって、隣室３における暖房効率の低下を抑制することができる。
【００７４】
また、制御部３０は、隣室空調機２０の暖房運転モードが停止された場合に、浴室空調機１０を制御して、浴室空調機１０の換気風量を暖房運転モードが開始される前の換気風量に戻す。具体的には、制御部３０は、隣室空調機２０の暖房運転モードが開始された場合に、暖房運転モードが開始される前の換気風量を記憶部６２に記憶しておき、暖房運転モードが停止された場合に、浴室空調機１０の換気風量を記憶部６２に記憶された換気風量に戻す。
【００７５】
このように、隣室空調機２０の暖房運転モードが停止した場合に、浴室空調機１０における換気風量を元に戻すことで、浴室２の除湿に時間がかかったり浴室２が十分に除湿されなかったりすることを防止することができる。
【００７６】
また、図５Ｂに示すように、隣室空調機２０の送風運転モードが開始された場合、制御部３０は、浴室空調機１０を制御して、浴室空調機１０の換気風量を、送風運転モードが開始される前における換気風量よりも大きくする。
【００７７】
隣室空調機２０を用いて隣室３への送風を行っているときに、浴室２の湿気が隣室３へ流入すると、隣室３の湿度が高まることで送風による快適性が損なわれるおそれがある。そこで、空調システム１では、隣室空調機２０が送風運転モードである場合に、浴室空調機１０の換気風量を増大させることとした。これにより、隣室３から浴室２への空気の流れが形成されることで、浴室２から隣室３への湿気の流入が抑制され、隣室３の湿度の上昇が抑制される。これにより、たとえば夏場における隣室３の蒸し暑さをより小さい風量でやわらげることができる。すなわち、隣室３における送風効率を向上させることができる。
【００７８】
また、制御部３０は、隣室空調機２０の送風運転モードが停止された場合に、浴室空調機１０を制御して、浴室空調機１０の換気風量を送風運転モードが開始される前の換気風量に戻す。具体的には、制御部３０は、隣室空調機２０の送風運転モードが開始された場合に、送風運転モードが開始される前の換気風量を記憶部６２に記憶しておき、送風運転モードが停止された場合に、浴室空調機１０の換気風量を記憶部６２に記憶された換気風量に戻す。
【００７９】
このように、隣室空調機２０の送風運転モードが停止された場合に、換気風量を増大させた状態から元の状態に戻すようにすることで、浴室空調機１０の運転音の増大を抑制することができる。
【００８０】
次に、浴室空調機１０の換気風量について図６Ａおよび図６Ｂを参照して説明する。図６Ａは、隣室空調機２０の暖房運転モードの開始前後における換気風量の変化の一例を示す図であり、図６Ｂは、隣室空調機２０の送風運転モードの開始前後における換気風量の変化の一例を示す図である。
【００８１】
図６Ａに示すように、換気運転モードには、使用者が設定可能な風量として、たとえば、「換気強」、「換気弱」および「２４時間換気」の３つの設定風量が存在する。ここでは、理解を容易にするために、「換気強」における換気風量を「１０」、「換気弱」における換気風量を「５」、２４時間換気における換気風量を「３」と仮定し、数字が大きいほど換気風量が大きいものとする。
【００８２】
たとえば、制御部３０は、隣室空調機２０の暖房運転モードが開始された場合、浴室空調機１０の換気風量を、暖房運転モードが開始される前の換気風量よりも一段階小さい換気風量に変更する。具体的には、浴室空調機１０が「換気弱」（風量：５）で運転中であるときに、隣室空調機２０の暖房運転モードが開始された場合、制御部３０は、浴室空調機１０の換気風量を一段階小さい「２４時間換気」（風量：３）に変更する。
【００８３】
また、浴室空調機１０が「２４時間換気」（風量：３）で運転中であるときに、隣室空調機２０の暖房運転モードが開始された場合、制御部３０は、浴室空調機１０の換気風量を２４時間換気よりもさらに換気風量が小さい「風量：１」に変更する。
【００８４】
ここでは、換気風量を一段階下げる場合の例について説明したが、制御部３０は、暖房運転モードの開始前の換気風量に関わらず、浴室空調機１０の換気風量を予め決められた換気風量に変更してもよい。たとえば、制御部３０は、隣室空調機２０の暖房運転モードが開始された場合に、暖房運転モードの開始前の換気風量に関わらず、浴室空調機１０の換気風量を「風量：１」に変更してもよい。
【００８５】
また、制御部３０は、隣室空調機２０の暖房運転モードが開始された場合に、浴室空調機１０の換気風量を「風量：０」にしてもよい。すなわち、制御部３０は、浴室空調機１０の換気運転モードを停止してもよい。
【００８６】
また、図６Ｂに示すように、隣室空調機２０の送風運転モードが開始された場合、浴室空調機１０の換気風量を、送風運転モードが開始される前の換気風量よりも一段階大きい換気風量に変更する。
【００８７】
たとえば、浴室空調機１０が「換気弱」（風量：５）で運転中であるときに、隣室空調機２０の送風運転モードが開始された場合、制御部３０は、浴室空調機１０の換気風量を一段階大きい「換気強」（風量：１０）に変更する。
【００８８】
また、浴室空調機１０が「換気強」（風量：１０）で運転中であるときに、隣室空調機２０の送風運転モードが開始された場合、制御部３０は、浴室空調機１０の換気風量を「換気強」よりもさらに換気風量が大きい「風量：１２」に変更する。
【００８９】
ここでは、換気風量を一段階上げる場合の例について説明したが、制御部３０は、送風運転モードの開始前における換気風量に関わらず、浴室空調機１０の換気風量を予め決められた換気風量に変更してもよい。たとえば、制御部３０は、隣室空調機２０の送風運転モードが開始された場合に、送風運転モードの開始前における換気風量に関わらず、浴室空調機１０の換気風量を「風量：１２」に変更してもよい。
【００９０】
また、制御部３０は、隣室空調機２０の送風運転モードが開始された場合に、浴室空調機１０の換気運転モードが停止中である場合には、浴室空調機１０の換気運転モードを開始させてもよい。この場合、制御部３０は、たとえば、換気風量を「風量：０」よりも一段階大きい「風量：１」（図６Ａ参照）に設定してもよいし、その他の風量（たとえば、「風量：１２」）に設定してもよい。
【００９１】
次に、連動空調制御の変形例について図７Ａおよび図７Ｂを参照して説明する。図７Ａおよび図７Ｂは、変形例に係る連動空調制御の説明図である。
【００９２】
図７Ａに示すように、制御部３０は、隣室空調機２０の暖房運転モードが開始された場合に、浴室空調機１０を制御して、浴室空調機１０の換気風量を、暖房運転モードが開始される前における換気風量（現換気風量と記載する）と、現換気風量よりも小さい換気風量（変更後風量と記載する）とで交互に切り替えてもよい。
【００９３】
これにより、たとえば、現換気風量である「換気弱」（風量：５）と、変更後風量である「２４時間換気」（風量：３）とを交互に切り替えることで、「換気弱」および「２４時間換気」の中間の換気風量（風量：４）を実現することができる。このため、ＤＣモータのように細かい速度制御が可能なモータを用いずとも、換気風量を細かく調整することが可能である。したがって、たとえば、ＤＣモータと比較して耐久性に優れるＡＣ（Alternating  Current）モータを換気用ファン駆動装置１２３に用いて換気用ファン１５の細かい速度制御を行うことも可能である。
【００９４】
ここでは、現換気風量と変更後風量との時間比率を１対１とすることで中間の換気風量（風量：４）を実現することとしたが、制御部３０は、現換気風量と変更後風量との時間比率を変更することで、換気風量を任意に調整することが可能である。
【００９５】
また、制御部３０は、隣室空調機２０の送風運転モードが開始された場合にも同様の制御を行ってもよい。すなわち、制御部３０は、隣室空調機２０の送風運転モードが開始された場合に、浴室空調機１０の換気風量を、送風運転モードが開始される前における換気風量（現換気風量）と現換気風量よりも大きい換気風量（変更後風量）とで交互に切り替えてもよい。
【００９６】
このように、現換気風量と変更後風量とを交互に切り替えるようにすることで、浴室空調機１０の運転音の増大を抑制することができる。
【００９７】
また、図７Ｂに示すように、制御部３０は、隣室空調機２０の暖房運転モードが開始された後、予め設定された時間（設定時間）が経過した場合に、浴室空調機１０を制御して、浴室空調機１０の換気風量を、暖房運転モードが開始される前における換気風量に戻すこととしてもよい。
【００９８】
また、制御部３０は、隣室空調機２０の暖房運転モードが開始された後、隣室温度検出部２５により検出される温度が隣室空調機２０の暖房運転モードにおける目標温度に達した場合に、浴室空調機１０を制御して、浴室空調機１０の換気風量を、暖房運転モードが開始される前における換気風量に戻すこととしてもよい。
【００９９】
このように、隣室空調機２０の暖房運転モードが開始された後、予め設定された時間が経過した場合、あるいは、隣室３の温度が目標温度に達した場合に、浴室空調機１０の換気風量を元に戻すことで、浴室２の除湿に時間がかかったり浴室２が十分に除湿されなかったりすることを防止することができる。
【０１００】
なお、制御部３０は、隣室空調機２０の送風運転モードが開始された場合にも同様の制御を行ってもよい。すなわち、制御部３０は、隣室空調機２０の送風運転モードが開始された後、予め設定された時間が経過した場合に、浴室空調機１０を制御して、浴室空調機１０の換気風量を、送風運転モードが開始される前における換気風量に戻してもよい。
【０１０１】
＜連動空調制御のフローチャート＞
次に、実施形態に係る空調システム１において実行される連動空調制御の処理手順について図８を参照して説明する。図８は、連動空調制御の処理手順を示すフローチャートである。ここでは、図８中の「一方」が隣室空調機２０であり、「他方」が浴室空調機１０であるものとして説明する。
【０１０２】
図８に示すように、制御部３０は、隣室空調機２０の暖房運転モードが開始されたか否かを判定する（ステップＳ１０１）。この処理において、暖房運転モードが開始されたと判定した場合（ステップＳ１０１，Ｙｅｓ）、制御部３０は、浴室空調機１０が換気運転モード中であるか否かを判定する（ステップＳ１０２）。
【０１０３】
ステップＳ１０２において、浴室空調機１０が換気運転モード中であると判定した場合（ステップＳ１０２，Ｙｅｓ）、制御部３０は、浴室空調機１０の換気風量を、暖房運転モードが開始される前における換気風量よりも小さくする（ステップＳ１０３）。たとえば、制御部３０は、暖房運転モードが開始される前における換気風量よりも一段階小さい換気風量に変更する。あるいは、制御部３０は、浴室空調機１０の換気運転モードを停止させる。
【０１０４】
一方、ステップＳ１０１において、隣室空調機２０の暖房運転モードが開始されていない場合（ステップＳ１０１，Ｎｏ）、制御部３０は、隣室空調機２０の送風運転モードが開始されたか否かを判定する（ステップＳ１０４）。この処理において、送風運転モードが開始されたと判定した場合（ステップＳ１０４，Ｙｅｓ）、制御部３０は、浴室空調機１０が換気運転モード中であるか否かを判定する（ステップＳ１０５）。一方、ステップＳ１０４において、隣室空調機２０の送風運転モードが開始されていない場合（ステップＳ１０４，Ｎｏ）、制御部３０は、処理をステップＳ１０１へ戻す。
【０１０５】
ステップＳ１０５において、浴室空調機１０が換気運転モード中であると判定した場合（ステップＳ１０５，Ｙｅｓ）、制御部３０は、浴室空調機１０の換気風量を、送風運転モードが開始される前における換気風量よりも大きくする（ステップＳ１０６）。たとえば、制御部３０は、送風運転モードが開始される前における換気風量よりも一段階大きい換気風量に変更する。一方、ステップＳ１０５において、浴室空調機１０が換気運転モード中でない場合には（ステップＳ１０５，Ｎｏ）、制御部３０は、浴室空調機１０の換気運転モードを開始させる（ステップＳ１０７）。
【０１０６】
ステップＳ１０３，Ｓ１０６，Ｓ１０７の処理を終えた場合、または、ステップＳ１０２において浴室空調機１０が換気運転モード中でない場合（ステップＳ１０２，Ｎｏ）、制御部３０は、終了条件が満たされたか否かを判定する（ステップＳ１０８）。
【０１０７】
ここで、終了条件とは、たとえば、隣室空調機２０の暖房運転モードが停止したこと、ステップＳ１０３，Ｓ１０６，Ｓ１０７の処理を行ってから予め設定された時間が経過したこと、隣室３が目標温度に達したこと、などである。
【０１０８】
ステップＳ１０８において、終了条件が満たされていない場合（ステップＳ１０８，Ｎｏ）、制御部３０は、終了条件が満たされるまでステップＳ１０８の判定処理を繰り返す。一方、ステップＳ１０８において、終了条件が満たされたと判定した場合（ステップＳ１０８，Ｙｅｓ）、制御部３０は、浴室空調機１０の換気風量を、隣室空調機２０の暖房運転モードまたは送風運転モードが開始される前の換気風量に戻して（ステップＳ１０９）、処理を終える。
【０１０９】
上述したように、第１の実施形態に係る空調システム１は、浴室空調機１０と、隣室空調機２０と、制御部３０とを備える。浴室空調機１０は、浴室２を空調する。隣室空調機２０は、浴室２に連通する隣室３を空調する。制御部３０は、浴室空調機１０および隣室空調機２０を制御する。また、浴室空調機１０および隣室空調機２０は、室内に風を送る送風運転モードおよび室内に加熱した風を送る暖房運転モードを有する。また、浴室空調機１０は、室内の空気を室外へ排気する換気運転モードを有する。そして、制御部３０は、隣室空調機２０の運転モードに基づいて、浴室空調機１０の換気運転モードを制御する。
【０１１０】
したがって、第１の実施形態に係る空調システム１によれば、浴室２および隣室３に設置された２台の空調機１０，２０を連動させることによって隣室３の空調効率を向上させることができる。
【０１１１】
（第２の実施形態）
上述した第１の実施形態では、浴室空調機１０のみが換気運転モードを有する場合の例について説明したが、浴室空調機１０および隣室空調機２０の両方が換気運転モードを有していてもよい。かかる場合の空調システムの構成について図９を参照して説明する。図９は、第２の実施形態に係る空調システムの概要説明図である。
【０１１２】
図９に示すように、第２の実施形態に係る空調システム１Ａは、隣室空調機２０Ａを備える。隣室空調機２０Ａは、浴室空調機１０と同様の構成を備え、暖房運転モードおよび送風運転モードに加えて、換気運転モードを有する。具体的には、隣室空調機２０Ａは、吸込口２０１および吹出口２０２（図４参照）ならびに屋外吹出口（図示せず）に連通する風路２０４Ａを備え、ファン２３、熱源２４、隣室温度検出部２５に加えてダンパと換気用ファンとを備える。
【０１１３】
また、第２の実施形態に係る空調システム１Ａは、制御部３０Ａを備える。制御部３０Ａは、上述した第１の実施形態に係る制御部３０が行う連動空調制御に加え、以下の連動空調制御を行う。
【０１１４】
たとえば、制御部３０Ａは、浴室空調機１０の暖房運転モードが開始された場合に、隣室空調機２０Ａを制御して、隣室空調機２０Ａの換気風量を、暖房運転モードが開始される前における換気流量よりも小さくする。
【０１１５】
また、制御部３０Ａは、浴室空調機１０の暖房運転モードが開始された場合に、隣室空調機２０Ａを制御して、隣室空調機２０Ａの換気風量を、暖房運転モードが開始される前における換気風量（現換気風量）と現換気風量よりも小さい変更後風量とで交互に切り替えてもよい。
【０１１６】
また、制御部３０Ａは、浴室空調機１０の暖房運転モードが開始された後、浴室空調機１０の暖房運転モードが停止された場合、あるいは、予め設定された時間が経過した場合に、隣室空調機２０Ａを制御して、隣室空調機２０Ａの換気風量を、暖房運転モードが開始される前における換気風量に戻す。
【０１１７】
また、制御部３０Ａは、浴室空調機１０の暖房運転モードが開始された後、浴室温度検出部１７により検出される温度が暖房運転モードにおける目標温度に達した場合に、隣室空調機２０Ａを制御して、隣室空調機２０Ａにおける換気風量を、暖房運転モードが開始される前における換気風量に戻してもよい。
【０１１８】
また、制御部３０Ａは、浴室空調機１０の送風運転モードが開始された場合に、隣室空調機２０Ａを制御して、隣室空調機２０Ａの換気風量を、送風運転モードが開始される前における換気風量よりも大きくする。
【０１１９】
また、制御部３０Ａは、浴室空調機１０の送風運転モードが開始された場合に、隣室空調機２０Ａを制御して、隣室空調機２０Ａの換気風量を、送風運転モードが開始される前における換気風量（現換気風量）と現換気風量よりも大きい変更後風量とで交互に切り替えてもよい。
【０１２０】
また、制御部３０Ａは、浴室空調機１０の送風運転モードが開始された後、浴室空調機１０の送風運転モードが停止された場合、あるいは、予め設定された時間が経過した場合に、隣室空調機２０Ａを制御して、隣室空調機２０Ａの換気風量を、送風運転モードが開始される前における換気風量に戻す。
【０１２１】
このように、第２の実施形態に係る空調システム１Ａにおいて、浴室空調機１０および隣室空調機２０Ａは、送風運転モード、暖房運転モードおよび換気運転モードを有する。そして、制御部３０Ａは、浴室空調機１０および隣室空調機２０Ａのうち一方の運転モードに基づいて、浴室空調機１０および隣室空調機２０Ａのうち他方の換気運転モードを制御する。
【０１２２】
したがって、第２の実施形態に係る空調システム１Ａによれば、浴室２および隣室３に設置された２台の空調機１０，２０Ａを連動させることによって浴室２または隣室３の空調効率を向上させることができる。
【０１２３】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１２４】
１  空調システム
２  浴室
３  隣室
５  通気部
１０  浴室空調機
２０  隣室空調機
３０  制御部
【図１Ａ】
2019032139.tif 000003
【図１Ｂ】
2019032139.tif 000004
【図２】
2019032139.tif 000005
【図３Ａ】
2019032139.tif 000006
【図３Ｂ】
2019032139.tif 000007
【図４】
2019032139.tif 000008
【図５Ａ】
2019032139.tif 000009
【図５Ｂ】
2019032139.tif 000010
【図６Ａ】
2019032139.tif 000011
【図６Ｂ】
2019032139.tif 000012
【図７Ａ】
2019032139.tif 000013
【図７Ｂ】
2019032139.tif 000014
【図８】
2019032139.tif 000015
【図９】
2019032139.tif 000016